(57)【特許請求の範囲】
【請求項１】
圧力流体の供給ポート、出力ポート及び排出ポートを有し、受電端子によるソレノイドへの給電と手動操作手段の操作との何れによっても作動して、出力ポートを供給ポートと排出ポートとに切り換えて連通させ、かつ連設して使用される電磁弁において、
上記電磁弁が、受電端子によるソレノイドへの給電を通断する操作子を有するスイッチ機構を備えている、
ことを特徴とするスイッチ機構付き電磁弁。
【請求項２】
電磁弁がカバーを備え、該カバーに形成した凹部内に操作子を設けた、
ことを特徴とする請求項１に記載したスイッチ機構付き電磁弁。
【請求項３】
電磁弁がカバーを備え、該カバーに形成したカバーの表面から突出するガード内に操作子を設けた、
ことを特徴とする請求項１に記載したスイッチ機構付き電磁弁。
【発明の詳細な説明】
【０００１】
【発明の属する技術分野】
本発明は、ソレノイドへの給電を通断するスイッチ機構を有する電磁弁に関するものである。
【０００２】
【従来の技術】
マニホールドベースに設置した電磁弁をレール等によって複数個連設した電磁弁連設体や、複数個の電磁弁を直接連設した電磁弁連設体は、特に例示するまでもなく本出願前周知であり、これらの電磁弁連設体の電磁弁には、停電等の事故によってソレノイドによる電磁弁の作動ができないときのために、手動によって電磁弁を作動させる手動操作手段が設けられている。
上記周知の電磁弁連設体は、連設方向の一端に給電部を備え、コントローラから給電部を介して出力される電気信号により、連設した個々の電磁弁のソレノイドを励磁及び励磁解除して、これらの電磁弁を作動することができる。また、停電等の事故によってソレノイドによる電磁弁の作動ができないときは、手動操作手段によって電磁弁を作動することができる。
【０００３】
本発明の発明者らは、特願平６−３２９７１２号において、電磁弁連設体の連設方向の一端にスイッチユニットを設け、このスイッチユニットに、個々の電磁弁を、コントローラの出力端子に接続する状態と、電源端子に接続する状態と、通電解除状態とに切り換えるスイッチを、電磁弁と同数個設けた電磁弁制御装置を提案した。
この電磁弁制御装置は、スイッチによって、所望の電磁弁をコントローラの出力端子に接続するとこの電磁弁をコントローラの電気信号によって作動することができ、電源端子に接続すると電源によって直接作動することができ、通電解除状態にすると手動操作手段によって手動操作することができる。
【０００４】
しかしながら、上記電磁弁制御装置は、スイッチと該スイッチの操作対象電磁弁との関係についての配慮に欠けるところがあり、複数個のスイッチを電磁弁連設体の一端に設けたスイッチユニットに一括して設置しているために、操作対象電磁弁と関係がない他の電磁弁のスイッチを誤操作する場合がある。
【０００５】
【発明が解決しようとする課題】
本発明が解決しようとする課題は、誤操作の恐れがないスイッチ機構付き電磁弁を提供することにある。
【０００６】
【課題を解決するための手段】
上記課題を解決するため、本発明のスイッチ機構付き電磁弁は、圧力流体の供給ポート、出力ポート及び排出ポートを有し、受電端子によるソレノイドへの給電と手動操作手段の操作との何れによっても作動して、出力ポートを供給ポートと排出ポートとに切り換えて連通させ、かつ連設して使用される電磁弁において、上記電磁弁が、受電端子によるソレノイドへの給電を通断する操作子を有するスイッチ機構を備えていることを特徴としている。
【０００７】
また、同様の課題を解決するため、上記電磁弁がカバーを備え、該カバーに形成した凹部内、またはカバーの表面から突出するガード内に、操作子を設けたことを特徴としている。
【０００８】
スイッチ機構によって、受電端子とソレノイドとが電気的に接続しているときは、受電端子によるソレノイドへの通電とその解除とによって電磁弁が作動するので、出力ポートを供給ポートと排出ポートとに切り換えて連通させることができる。
操作子によって受電端子によるソレノイドへの給電を断つと、手動操作手段によって電磁弁を作動することができる。したがって、コントローラによる電気信号と関係なく電磁弁を手動によって作動することができる。
【０００９】
この場合、電磁弁自体にスイッチ機構を設けたことにより、操作子と操作対象電磁弁との対応関係が明確であるから、電磁弁を複数個連設した場合であっても誤って他の電磁弁の操作子を操作する危険がなく、しかも、操作子の操作と手動操作手段の操作を一連の動作で行うことができる。
また、電磁弁のカバーに、凹部またはカバーの表面から突出するガードを形成して、操作子をこの凹部またはガード内に設けたので、不注意にカバーに手を触れても操作子を作動させる恐れがない。
【００１０】
【発明の実施の形態】
図１及び図２は本発明の第１実施例を示し、取付ボルト１ａ，１ａによってマニホールドベース２に取付けられた電磁弁１は、マニホールドベース２によって複数個レール３に連設されている。上記マニホールドベース２の連設方向端には、電磁弁１の後記するソレノイドに一括して給電するための給電箱４とエンドプレート５，５とが設けられ、これらの部材は、取付ねじ６ａ，６ａでレール３に取付けられた取付部材６，６によってレール３に固定されている。
【００１１】
マニホールドベース２は、連設方向に貫通しかつ連設によって気密に連通する圧縮空気の供給流路及び２個の排出流路（何れも図示省略）を備え、これらの流路は、エンドプレート５に設けた複数個の開口（図示省略）に個別に連通するとともに、該マニホールドベース２の弁設置面に開設した供給口及び２個の排出口に個別に連通している。
上記電磁弁１は、主弁１１と、図における上下方向に配設した２個のパイロット弁（図示省略）を有するパイロット弁部１２と、これらのパイロット弁のソレノイド１２ａ，１２ｂ（図２参照）への給電を通断するスイッチ機構１３とを備えている。
【００１２】
上記主弁１１は、１個の圧縮空気の供給ポート、２個の出力ポート及び２個の排出ポート（何れも図示省略）を備え、取付ねじ１ａ，１ａによってマニホールドベース２に取付けられると、供給ポートと２個の排出ポートが上記供給開口と２個の排出開口に個別に連通し、２個の出力ポートは、マニホールドベース２の電磁弁設置面に開口する２個の出力開口に個別に連通するとともに、マニホールドベース２に形成した流路によってマニホールドベース後面の開口に連通している。
上記パイロット弁は、供給流路に連通するパイロット供給ポート、主弁１１にパイロット流体を給排するパイロット出力ポート、及び排出流路の一方に連通するパイロット排出ポート（何れも図示省略）を備え、ソレノイド１２ａ，１２ｂを励磁するとパイロット供給ポートとパイロット出力ポートが連通して主弁１１にパイロット流体を出力し、ソレノイドの励磁を解除するとパイロット出力ポートとパイロット排出ポートが連通して主弁のパイロット流体を排出する、周知の常閉形３ポート電磁弁として構成されている。
【００１３】
また、パイロット弁部１２と、主弁１１とパイロット弁部１２間のアダプタ１４とに、押圧によってパイロット供給ポートとパイロット出力ポートを連通させ、押圧を解除するとばねにより復帰してパイロット出力ポートとパイロット排出ポートを連通させる、第１手動操作手段１５ａと第２手動操作手段１５ｂ（図示の例は手動操作釦）が設けられている。
【００１４】
上記スイッチ機構１３は、下側（マニホールドベース２側）に端子箱１７を備え、適宜の手段によってパイロット弁部１２に取付けられている。端子箱１７に設けた受電端子１７ａ，１７ｂ，１７ｃ（図２参照）は、電磁弁１をマニホールドベース２に設置すると、マニホールドベース２に取付けた給電箱１９の給電端子１９ａ，１９ｂ，１９ｃ（図２参照）に電気的に接続される。また、これらの給電端子は、給電線２０，・・によって給電箱４に取付けた中継端子２１のピンにそれぞれ電気的に接続されている。
上記ソレノイド１２ａ，１２ｂは、図２に示す給電回路２３によって受電端子１７ａ，１７ｂ，１７ｃから給電され、給電回路２３に、該回路の電気的接続を通断する上記スイッチ機構１３の操作子１３ａ，１３ｂ，１３ｃが設けられている。また、上記給電回路２３には、逆起電力を防止するダイオード２４，・・を有するコイルの保護回路と、ソレノイド１２ａ，１２ｂへの通電を表示する表示灯（発光ダイオード）２５，２５を有する表示灯回路が設けられている。
【００１５】
スイッチ機構１３を覆うカバー２６は、凹部２６ａと、表示灯２５，２５の通電を外部から視認するための窓を備え、凹部２６ａ内に、スイッチ機構１３の操作子１３ａ，１３ｂ，１３ｃ（図示の例は操作釦）が、その先端をカバー２６の表面より沈めた状態で設けられており、窓に透明または半透明の表示灯カバー２７が取付けられている。
しかしながら、本発明のスイッチ機構１３はこれに限定されるものではなく、操作子１３ａと１３ｂが連動して作動して２個の受電端子１７ａ，１７ｂとソレノイド１２ａ，１２ｂとの電気的接続を同時に通断するもの、操作子１３ｃが作動して受電端子のコモン端子１７ｃとソレノイド１２ａ，１２ｂとの電気的接続を通断するもの、或いは全部の操作子１３ａ，１３ｂ，１３ｃが連動して作動して全部の受電端子とソレノイド１２ａ，１２ｂとの電気的接続を通断するものとすることができる。
そして、スイッチ機構１３をこれらの何れかにしたときは、凹部２６ａ内の操作子を１つとすることができる。
【００１６】
上記第１実施例は、操作子を押圧してスイッチ機構１３をオンにしたときは、中継端子２１に接続したコントローラ（図示省略）の電気信号によってソレノイド１２ａ，１２ｂが励磁及び励磁解除されるので、電磁弁１が作動して出力ポートを供給ポートと排出ポートとに切り換えて連通させる。
操作子を再度押圧してスイッチ機構１３をオフにすると、受電端子によるソレノイド１２ａ，１２ｂへの給電を断たれるので、手動操作手段１５ａ，１５ｂの押圧とその解除とによって電磁弁１を作動することができる。
【００１７】
上記スイッチ機構１３によるソレノイド１２ａ，１２ｂへの給電の通断は、個々の電磁弁毎に行うことができるので、複数個連設した電磁弁に給電箱４から一括して給電する場合であっても、所望の電磁弁のみのソレノイドへの給電を断つことができる。
また、電磁弁１自体にスイッチ機構１３を設けたので、操作対象電磁弁と操作子との関係が明確でスイッチ機構１３を誤操作する危険がなく、かつ操作子の操作と手動操作手段１５ａ，１５ｂの手動操作とを一連の動作で行うことができ、しかも、増設や交換をした電磁弁１の手動操作手段１５ａ，１５ｂが正しく作動するかどうかを、チェックすることができる。
また、操作子をカバー２６に形成した凹部２６ａ内に位置させたので、不注意にカバー２６に手を触れても、スイッチ機構１３を作動させることがない。
【００１８】
図３は第１実施例の変形例を示し、この電磁弁２９のカバー３０は、パイロット弁部１２の上方を覆う延長部３１を備え、延長部３１に形成した凹部３１ａ内にスイッチ機構１３の操作子１３ａ，１３ｂ，１３ｃが設けられている。
上記変形例の他の構成及び作用は第１実施例と同じであるから、詳細な説明は省略する。
【００１９】
図４及び図５は、電磁弁をシングルパイロット形とした本発明の第２実施例を示し、この電磁弁３４は、主弁３５とソレノイド駆動のパイロット弁３６とを備え、図示を省略しているマニホールドベースによって所望の数連設される。
上記主弁３５は、下面にマニホールドベースの供給口と２個の排出口に個別に連通する供給ポートと２個の排出ポートが、上面に取付けられたポートアダプタ３７に出力ポートＡとＢが、それぞれ形成されている。また、主弁３５とパイロット弁３６との間のアダプタ３８に、手動操作手段（手動操作釦）３９が設けられている。
【００２０】
上記電磁弁３４のソレノイド３６ａに給電する給電回路４０は、図５に示すように、スイッチ機構４１を構成する操作子４１ａと、ダイオード２４を有する逆起電力防止回路と、表示灯２５を有する表示灯回路とを備えている。
上記パイロット弁３６を覆うカバー４３は、前面に端子箱４４とガード４５とを有し、端子箱４４の受電端子４４ａ，４４ｂは、給電回路４０によってソレノイド３６ａに電気的に接続されている。また、給電箱４６は、端子箱４４への挿入によって受電端子４４ａ，４４ｂに電気的に接続する給電端子４６ａ，４６ｂを備え、これらの給電端子は、給電線２０，２０によって図示を省略している給電箱の中継端子に接続される。
上記ガード４５はカバー４３の表面から若干突出し、ガード４５内に設けられた操作子４１ａの先端は、ガード４５の表面より僅かに内方に位置している。
【００２１】
上記電磁弁３４は、ソレノイド３６ａの励磁とその解除とによってパイロット弁３６から主弁３５にパイロット流体を給排すると、該パイロット流体圧の作用力と復帰ばね（図示省略）との付勢力の大小、またはパイロット流体圧の作用力とパイロット弁と反対側の内部パイロット流体圧の作用力との大小によって、主弁３５の出力ポートＡとＢから圧力流体が出力される。
したがって、スイッチ機構４１がオンのときはソレノイド３６ａによって、オフのときは手動操作手段３９によってそれぞれ電磁弁３４を作動することができる。また、操作子４１ａをガード４５内に位置させたので、不注意にカバー４３に手を触れても、操作子４１ａを作動させることがない。
第２実施例の他の構成及び作用は第１実施例と同じであるから、詳細な説明は省略する。
なお、操作子４１ａ及びこれを囲むガード４５は、カバー４３に代えて、図４に二点鎖線で示すように、パイロット弁３６の上面に設けることがもできる。
【００２２】
図６及び図７は本発明の第３実施例を示し、この電磁弁５０は、主弁５１と、該主弁５１の軸方向両側にそれぞれ取付けられた第１、第２のソレノイド駆動のパイロット弁５２ａ，５２ｂとを備え、マニホールドベース５３に設置されており、主弁５１とパイロット弁５２ａ，５２ｂとの間に、第１、第２の手動操作手段５４ａ，５４ｂ（図示の例は手動操作釦）が設けられている。
上記主弁５１の上面にはカバー５６が取付けられており、カバー５６に表示灯カバー２７，２７が、カバー５６の凹部５６ａ内にスイッチ機構５７の操作子（手動操作釦）５７ａが、それぞれ設けられている。
上記パイロット弁５２ａ，５２ｂのソレノイド５８ａ，５８ｂは、図７に示す給電回路５９によって給電され、受電端子のコモン端子１７ｃとソレノイド５８ａ，５８ｂとの間に、上記スイッチ機構５７が設けられている。
【００２３】
マニホールドベース５３は、第１実施例のマニホールドベース２と同様に連設可能とされ、長手方向の一端に給電線カバー６０が取付けられており、給電線カバー６０を通る給電線２０，・・の先端は、マニホールドベース４４に設けた給電端子の取付ねじ（何れも図示省略）に取付けられる。
上記電磁弁５０は、マニホールドベース５３に設置すると、端子箱１７の受電端子１７ａ，１７ｂ，１７ｃと給電端子１９ａ，１９ｂ，１９ｃ（図７参照）とが電気的に接続する。
図６中の符号６１は、給電線カバー６０の紛失を防止するチェーンである。
第３実施例の他の構成及び作用は第１実施例と同じであるから、詳細な説明は省略する。
【００２４】
【発明の効果】
本発明のスイッチ機構付き電磁弁は、電磁弁自体に操作子を有するスイッチ機構を設けたことにより、手動操作対象電磁弁と操作子との対応関係が明確であるから、電磁弁を複数個連設した場合であっても他の電磁弁の操作子を誤操作する危険がなく、かつ操作子の操作と手動操作手段の手動操作とを一連の動作で行うことができる。
また、操作子を、電磁弁のカバーに形成した凹部内、またはカバーに設けたガード内に位置させたので、不注意にカバーに手を触れても操作子を作動させる恐れがない。
【図面の簡単な説明】
【図１】第１実施例の一部分解斜視図である。
【図２】同じく給電回路の図である。
【図３】同じく変形例の要部の斜視図である。
【図４】第２実施例の斜視図である。
【図５】同じく給電回路の図である。
【図６】第２実施例の斜視図である。
【図７】同じく給電回路の図である。
【符号の説明】
１，２９，３４，５０  電磁弁
１２ａ，１２ｂ，３６ａ，５８ａ，５８ｂ  ソレノイド
１３，４１，５７  スイッチ機構
１３ａ，１３ｂ，１３ｃ，４１ａ，５７ａ  操作子
１５ａ，１５ｂ，３９，５４ａ，５４ｂ  手動操作手段
１７ａ，１７ｂ，１７ｃ，４４ａ，４４ｂ  受電端子
２６，４３，５６  カバー
２６ａ，５６ａ  凹部
４５  ガード
【図１】
0003709242.tif 000002
【図２】
0003709242.tif 000003
【図３】
0003709242.tif 000004
【図４】
0003709242.tif 000005
【図５】
0003709242.tif 000006
【図６】
0003709242.tif 000007
【図７】
0003709242.tif 000008